(57)【要約】【課題】家電機器を追加したり別の家電機器にした場合でもその都度位置情報と家電種別情報を入力部に入力することの手間を低減することができる家電管理システム、コンセントプラグ、家電機器、および制御端末を提供する。【解決手段】コンセントプラグ４は位置情報を記憶する位置情報記憶部４１１、４２１と位置情報送信部４１２、４２２とを備え、家電機器２は位置情報受信部２５１、２６１と機能提供部２５２、２６２と種別情報記憶部２５３、２６３と位置種別情報送信部２５４、２６４とを備え、制御端末５は位置種別情報受信部５１と位置種別情報記憶部５２と動作条件決定部と５３動作制御部５４とを備えることで、家電機器を追加したり別の家電機器に変更した場合でもその都度位置情報と家電種別情報を入力部に入力することの手間を低減することができる家電管理システム、コンセントプラグ、家電機器、および制御端末を提供する。【選択図】図１
2018093272.tif 000002
【特許請求の範囲】
【請求項１】
ＩＮ端子をコンセントに接続することで給電されＯＵＴ端子を介して給電するコンセントプラグと前記コンセントプラグより給電される家電機器と前記家電機器を制御する制御端末とを備えた家電管理システムであって、
前記コンセントプラグは、
位置を識別するための情報である位置情報を記憶する位置情報記憶部と、
前記ＯＵＴ端子に接続された家電機器に前記位置情報記憶部が記憶する位置情報を接続コードを介して送信する位置情報送信部と、
を備え、
前記家電機器は、
前記コンセントプラグから前記接続コードを介して前記コンセントプラグが提供する前記位置情報を受信する位置情報受信部と、
所定の機能を提供する機能提供部と、
前記機能提供部が提供する機能の種別である種別情報を記憶する種別情報記憶部と、
前記位置情報と前記種別情報とを前記制御端末に送信する位置種別情報送信部と、
前記制御端末からの動作条件を受信して実行する前記機能提供部と、を備え
前記制御端末は、
前記家電機器から前記位置情報と前記種別情報とを受信する位置種別情報受信部と、
前記位置種別情報受信部が受信した位置情報及び種別情報を関連付けて記憶する位置種別情報記憶部と、
前記位置種別情報記憶部が記憶する位置情報と種別情報とに基づいて前記家電機器の動作を決定する動作条件決定部と、
前記動作条件決定部が決定した動作条件を対応する家電機器に送信する動作制御部と、
を備えた家電管理システム。
【請求項２】
前記制御端末は、
前記家電機器より当該家電機器が設置された部屋の状態の情報である状態情報をから受信する状態情報受信部を備え、
前記動作条件決定部は、
前記状態情報受信部が受信した状態情報と当該状態情報を送信した家電機器の位置情報と前記位置情報記憶部が記憶した位置情報とに基づいて、前記状態情報を送信した家電機器が属する位置情報と同一の位置情報を有する家電機器に対する動作を決定し、
前記動作制御部は、
前記動作条件決定部が決定した動作条件に対応する家電機器に送信する請求項１記載の家電管理システム。
【請求項３】
前記動作条件決定部は、
状態情報を送信した家電機器に基づいて前記位置種別情報記憶部から前記状態情報を送信した家電機器に関連付けされた位置情報と同一の位置情報を有する電気機器を抽出し、
前記抽出した電器に対して、前記状態情報を改善する動作を前記抽出した電気機器に実行させる動作条件を決定する請求項２記載の家電管理システム。
【請求項４】
ＩＮ端子をコンセントに接続することで給電され、ＯＵＴ端子を介して家電機器に給電するコンセントプラグであって、
位置を識別するための情報である位置情報を記憶する位置情報記憶部と、
前記ＯＵＴ端子に接続された家電機器に前記位置情報記憶部が記憶する位置情報を接続コードを介して送信する位置送信部と、
を備えたコンセントプラグ。
【請求項５】
所定の機能を提供する機能提供部と、
前記機能提供部が提供する機能の種別を記憶する種別情報記憶部と、
接続コードを介して接続されたコンセントプラグから当該コンセントプラグが記憶する位置情報を当該接続コードを介して受信する位置情報受信部と、
前記位置情報受信部が受信した位置情報と前記種別情報記憶部が記憶する種別情報とを送信する位置種別情報送信部と、
動作条件を受信して実行する前記機能提供部と、
を備えた家電機器。
【請求項６】
家電機器が配置された位置を識別するための情報である位置情報と前記家電機器が提供する機能の種別である種別情報とを受信する位置種別情報受信部と、
前記位置種別情報受信部が受信した位置情報及び種別情報を関連付けて記憶する位置種別情報記憶部と、
前記位置種別情報記憶部が記憶する位置情報と種別情報とに基づいて前記家電機器の動作を決定する動作条件決定部と、
前記動作条件決定部が決定した動作条件を対応する家電機器に送信する動作制御部と、
を備えた制御端末。
【発明の詳細な説明】
【技術分野】
【０００１】
本発明は、家電管理システム、コンセントプラグ、家電機器、制御端末に関するものである。
【背景技術】
【０００２】
従来は、建物内の空調制御装置の位置の情報と、目標温度との入力を受け付ける入力部と、温度測定部により測定された温度の情報を取得する温度取得部と、前記建物の構造データと、前記温度取得部により取得された温度の情報とに基づいて、前記建物内の空間を分割した分割空間毎の温度の時間変化を推定する推定部と、前記推定部による推定結果から、前記入力部が受け付けた建物内の空調制御装置の位置の情報に対応する前記分割空間の温度を抽出し、前記抽出した温度と前記目標温度とに基づいて空調制御量を算出する算出部とを備える空調制御装置が知られている。（例えば、特許文献１参照）。
【先行技術文献】
【特許文献】
【０００３】
【特許文献１】特開２０１５−１４８４１０号公報
【発明の概要】
【発明が解決しようとする課題】
【０００４】
このような空調制御装置は、あらかじめ設置した空調制御装置や温度取得部の位置情報を入力部に入力して建物内の空調制御を行うものであった。
【０００５】
ところで、この構成のもとでは、例えば家電機器である空調制御装置を追加したり、また、別の家電機器に置き換えたり、さらには他の部屋に移動した場合には、その都度位置情報と家電種別情報を入力する必要があった。
【０００６】
そこで、本発明は、上記従来の課題を解決するものであり、家電機器の位置を変更し、追加し、または置き換えた場合でも、位置情報や家電種別情報を都度入力する必要がない家電管理システム、コンセントプラグ、家電機器、および制御端末を提供することを目的とする。
【課題を解決するための手段】
【０００７】
そして、この目的を達成するために、本発明は、ＩＮ端子をコンセントに接続することで給電されＯＵＴ端子を介して給電するコンセントプラグと前記コンセントプラグより給電される家電と前記家電を制御する制御端末とを備えた家電管理システムであって、前記コンセントプラグは、位置を識別するための情報である位置情報を記憶する位置情報記憶部と、前記ＯＵＴ端子に接続された家電に前記位置情報記憶部が記憶する位置情報を接続コードを介して送信する位置情報送信部を備えたコンセントプラグと、前記コンセントプラグから前記接続コードを介して前記コンセントプラグが提供する前記位置情報を受信する位置情報受信部と、所定の機能を提供する機能提供部と、前記機能提供部が提供する機能の種別である種別情報を記憶する種別情報記憶部と、前記位置情報と前記種別情報とを前記制御端末に送信する位置種別情報送信部と、前記制御端末からの動作条件を受信して実行する前記機能提供部を備えた家電と、前記家電から前記位置情報と前記種別情報とを受信する位置種別情報受信部と、前記位置種別情報受信部が受信した位置情報及び種別情報を関連付けて記憶する位置種別情報記憶部と、前記位置種別記憶部が記憶する位置情報と種別情報とに基づいて前記家電の動作を決定する動作条件決定部と、前記動作条件決定部が決定した動作条件を対応する家電に送信する動作制御部を備えた制御端末で構成される家電管理システムであり、これにより所期の目的を達成するものである。
【０００８】
また、この目的を達成するために、本発明は、ＩＮ端子をコンセントに接続することで給電され、ＯＵＴ端子を介して家電に給電するコンセントプラグであって、位置を識別するための情報である位置情報を記憶する位置情報記憶部と、前記ＯＵＴ端子に接続された家電に前記位置情報記憶部が記憶する位置情報を接続コードを介して送信する位置送信部とを備えたコンセントプラグであり、これにより所期の目的を達成するものである。
【０００９】
また、この目的を達成するために、本発明は、所定の機能を提供する機能提供部と、前記機能提供部が提供する機能の種別を記憶する種別情報記憶部と、接続コードを介して接続されたコンセントプラグから当該コンセントプラグが記憶する位置情報を当該接続コードを介して受信する位置情報受信部と、前記位置情報受信部が受信した位置情報と前記種別情報記憶部が記憶する種別情報とを送信する位置種別情報送信部と、動作条件を受信して実行する前記機能提供部とを備えた家電であり、これにより所期の目的を達成するものである。
【００１０】
また、この目的を達成するために、本発明は、家電が配置された位置を識別するための情報である位置情報と前記家電が提供する機能の種別である種別情報とを受信する位置種別情報受信部と、前記位置種別情報受信部が受信した位置情報及び種別情報を関連付けて記憶する位置種別情報記憶部と、前記位置種別記憶部が記憶する位置情報と種別情報とに基づいて前記家電の動作を決定する動作条件決定部と、前記動作条件決定部が決定した動作条件を対応する家電に送信する動作制御部とを備えた制御端末であり、これにより所期の目的を達成するものである。
【発明の効果】
【００１１】
本発明によれば、家電機器の位置を変更し、追加し、または別の家電機器に置き換えた場合でもその都度位置情報や家電種別情報を入力する手間を低減することができる家電管理システム等を得ることができる。
【図面の簡単な説明】
【００１２】
【図１】本発明の実施の形態１に係る家電管理システムの概略図。
【図２】同家電管理システムの機能ブロック図。
【図３】同制御端末、家電機器、コンセントプラグの構成図。
【図４】同家電管理システムの情報取得処理を示すフローチャート。
【図５】同位置情報と種別情報との関係のテーブルの一例を示す図。
【図６】同家電管理システムの家電機器動作処理を示すフローチャート。
【発明を実施するための形態】
【００１３】
以下、本発明の実施の形態について、図面を参照しながら説明する。なお、以下に説明する実施の形態は、いずれも本発明の好ましい一具体例を示すものである。したがって、以下の実施の形態で示される、数値、形状、材料、構成要素、構成要素の配置位置及び接続形態、並びに、ステップ（工程）及びステップの順序などは、一例であって本発明を限定する主旨ではない。よって、以下の実施の形態における構成要素のうち、本発明の最上位概念を示す独立請求項に記載されていない構成要素については、任意の構成要素として説明される。また、各図において、実質的に同一の構成に対しては同一の符号を付しており、重複する説明は省略又は簡略化する。
【００１４】
また、本発明を実施するための形態において、家電及び家電機器とは、主に家庭で使用される電気機器、電気器具、電気機械である。
【００１５】
（実施の形態１）
まず、本発明の実施の形態１に係る家電管理システムの構成について図１〜図３を参照しながら説明する。なお図１は、家電管理システム１の概略図。図２は、家電管理システムの機能ブロック図、図３は、制御端末、家電機器、コンセントプラグの構成図である。
［家電管理システムの基本構成］
家電管理システム１は、複数の家電機器２と、コンセントプラグ４と、制御端末５とで構成される。本実施の形態においては、家電機器２の構成の例示として、例えば室内空間６の空気環境（例えば、清浄度、湿気）を制御する空気清浄機２１と加湿器２２として例示する。ただし、家電機器２として空気清浄機２１や加湿器２２の他に、換気扇など他の家電機器２を適宜登場させて理解に供する。
【００１６】
家電管理システム１は、家屋内に配置される。そして家電機器２及び制御端末５は、例えば家屋内であって分割された複数の室内空間６のいずれかの場所に配置される。図１においては、室内空間６は４つの部屋、すなわち部屋０１、部屋０２、部屋０３、部屋０４に分割されており、各室内空間６には、１または複数個のコンセント７にコンセントプラグ４が接続されている。
【００１７】
コンセントプラグ４は、接続コード３を介して家電機器２に給電可能に接続されている。
【００１８】
制御端末５と家電機器２とは、屋内ネットワーク３０を介して通信可能に接続されている。なお、通信方式は有線方式、無線方式のどちらであってもよく、情報の送受信ができればどんな方式でも良い。
【００１９】
以下、家電管理システム１の各構成要素について説明する。
［空気清浄機］
空気清浄機２１は、位置情報受信部２５１と、機能提供部２５２と、種別情報記憶部２５３と、位置種別情報送信部２５４と、を備えている。
【００２０】
機能提供部２５２は、空気清浄機能を提供する。具体的には、機能提供部２５２は、吸込口２１１と、吐出口２１２と、ファン（図示せず）とを備える。そして機能提供部２５２は、ファンを回転させることにより、吸込口２１１から吐出口２１２に空気を導く。すなわち機能提供部２５２は、吸込口２１１を介して内部に室内空間６の空気を吸込み、吸い込んだ空気を、フィルターを介することで埃等を捕獲して埃等のない空気のみ再び室内空間６へ吹出すことで、室内空間６の空気を浄化する。なお、機能提供部２５２とは、家電機器が提供する機能を示すものであり、空気清浄機では空気清浄機能、加湿器２２では加湿機能、換気扇２３では換気機能、エアコンでは温度調節機能というように、家電機器２により異なる。また機能提供部２５２は、家電機器２が制御端末５からの動作条件を受信することで、当該動作条件に従って動作する。言い換えると、制御端末５が機能提供部２５２を制御することが可能である。
【００２１】
位置情報受信部２５１は、後述するコンセントプラグ４から位置情報を、接続コード３を介して受信する。なお、ここで位置情報とは、コンセントプラグ４に記憶された番号や符号であって、屋内ネットワーク３０を介して送受信可能な情報であれば良い。また位置情報は、家電管理システム１においては部屋毎に与えられる。例えば、部屋０３に属するコンセントプラグ４はすべて同一の位置情報を記憶している。そして部屋０３のコンセント７に接続されたコンセントプラグ４と異なる部屋、例えば部屋０２のコンセント７に接続されたコンセントプラグ４は、異なる位置情報を記憶している。
【００２２】
種別情報記憶部２５３は、機能提供部２５２が提供する機能を有する家電機器２の種別を記憶する。すなわち、ここでは「空気清浄機」を記憶するものである。
【００２３】
位置種別情報送信部２５４は、後述のコンセントプラグ４から送信させる位置情報と種別情報記憶部２５３が記憶する種別情報とを組合せて制御端末５へ送信する。
［加湿器］
加湿器２２は、内部に例えば水蒸気を発生する蒸気発生部（図示せず）を設けている。上方には前記水蒸気を室内空間６に噴出す噴出口２２１を設けている。
【００２４】
加湿器２２は、位置情報受信部２６１と、機能提供部２６２と、種別情報記憶部２６３と、位置種別情報送信部２６４と、を備えている。
【００２５】
機能提供部２６２は、加湿機能を提供する。具体的には、内部に例えば水蒸気を発生する蒸気発生部（図示せず）と水蒸気を室内空間６に噴出す噴出口２２１とを備えることで、室内空間６を加湿する。
【００２６】
位置情報受信部２６１は、後述するコンセントプラグ４から位置情報を、接続コード３を介して受信する。
【００２７】
種別情報記憶部２６３は、機能提供部２６２が提供する機能を有する家電機器２の種別を記憶する。すなわち、ここでは「加湿器」を記憶するものである。
【００２８】
位置種別情報送信部２６４は、後述のコンセントプラグ４から送信させる位置情報と種別情報記憶部２６３が記憶する種別情報とを組合せて制御端末５へ送信する。
［換気扇］
換気扇２３には、室内空気を吸気する吸気口２３１と、室内空気を室外に排出する排気口２３２と、吸気口２３１と排気口２３２との間においての空気の流れを作るファン２３３と、を設けている。
【００２９】
換気扇２３には、位置情報受信部２７１と、機能提供部２７２と、種別情報記憶部２７３と、位置種別情報送信部２７４と、を備えている。
【００３０】
機能提供部２７２は、換気機能を提供する。具体的には、室内空気を外部に排出するファンを備えることで、室内空間６を換気する。
【００３１】
位置情報受信部２７１は、後述するコンセントプラグ４から位置情報を、接続コード３を介して受信する。
【００３２】
種別情報記憶部２７３は、機能提供部２７２が提供する機能を有する家電機器２の種別を記憶する。すなわち、ここでは「換気扇」を記憶するものである。
【００３３】
位置種別情報送信部２７４は、後述のコンセントプラグ４から送信させる位置情報と種別情報記憶部２７３が記憶する種別情報とを組合せて制御端末５へ送信する。
［接続コード］
接続コード３は、家電機器２に設けられ、コンセントプラグ４に接続される。接続コード３は、例えば電源コードが挙げられる。つまり、接続コード３は、コンセント７からコンセントプラグ４を介して電源供給をうける機能と、コンセントプラグ４から位置情報を受信する機能を備える。ただし、電源コードとは独立した異なる接続コード３を設けてもよい。この場合、接続コード３は家電機器２と情報の送受信のみを行うこととなる。
［コンセントプラグ］
コンセントプラグ４は、位置情報記憶部４１１、４２１と位置情報送信部４１２、４２２、４３１とを備えている。また、コンセントプラグ４は、物理的な接続部位として、ＩＮ端子とＯＵＴ端子とを備えている。
【００３４】
位置情報記憶部４１１、４２１、４３１は、位置情報を記憶している。さらに具体的には、例えば部屋０３に備えられたコンセントプラグ４の位置情報記憶部４１１には、「０３」という番号が記憶されている。また、例えば部屋０４に備えられたコンセントプラグ４の位置情報記憶部４２１には、「０４」という番号が記憶されている。
【００３５】
位置情報送信部４１２、４２２、４３２は、位置情報記憶部４１１、４２１、４３１に記憶された位置情報を、接続コード３を介して家電機器２の位置情報受信部２５１、２６１、２７１へ送信する。
【００３６】
コンセントプラグ４は、ＩＮ端子をコンセント７に接続されて給電される。また、ＯＵＴ端子は家電機器２の接続コード３に接続される。コンセントプラグ４は、接続コード３を介して家電機器２に電力を供給すると共に、位置情報を送信する。ただし、接続コード３と電源コードとが独立している場合には、コンセントプラグ４は、接続コード３を介して位置情報を送信し、電源コードを介して電力を供給する。なお、コンセントプラグ４は、コンセント７に付属するものと捉えることができる。つまり、家電機器２の移動時には、家電機器２をコンセントプラグ４から外して、例えば他の部屋のコンセント７に接続されているコンセントプラグ４に接続するといった運用が行われる。
【００３７】
なお、コンセントプラグ４の機能をコンセント７に備えてもよい。
［制御端末］
制御端末５は、位置種別情報受信部５１と位置種別情報記憶部５２と動作制御部５４と状態情報受信部５５と動作条件決定部５３とを備えている。
【００３８】
位置種別情報受信部５１は、屋内ネットワーク３０を介して家電機器２から送信された位置情報と種別情報とを受信する。
【００３９】
位置種別情報記憶部５２は、位置種別情報受信部５１で受信した家電機器２の位置情報と家電機器２の種別情報とを関連付けて記憶する。
【００４０】
状態情報受信部５５は、家電機器２が設置されている部屋の状態情報と位置情報とを受信する。ここで状態情報には、部屋の環境を示す情報が含まれる。具体的には、温度、湿度、気圧、明度（明るさ）、空気の汚染度（埃の量）、空気の組成に関する情報（二酸化炭素濃度等）、臭気、騒音量等である。また、状態情報には、部屋の状況を示す情報が含まれる。具体的には、消費電力、窓の開閉状態、部屋の換気量、部屋に属するコンセントに接続された家電機器の動作状況（オン状態、オフ状態、提供機能の強弱等）等である。状態情報を送信する機器は、例えば家電機器２自体や、部屋に家電機器２とは独立して設けられた各種センサ等を備える送信機である。なお、家電機器２とは独立して送信される場合には、当該送信機もコンセントプラグ４を介してコンセント７に接続されることで、送信機も家電機器２と同様の仕組みで位置情報を送信することができる。
【００４１】
動作条件決定部５３は、状態情報受信部５５が受信した状態情報と位置情報と、さらに位置種別情報記憶部５２に記憶された位置情報と種別情報とに基づいて、状態情報が属する部屋に配置された家電機器２を特定する。また、特定した家電機器２の組み合わせによって、状態情報が属する部屋に配置された家電機器２の動作条件を決定する。なお、動作条件の決定は種々考えられるため、代表される例を後述する。  動作制御部５４は、動作条件決定部５３が決定した動作条件を制御の対象である家電機器２に送信することで、家電機器２を当該動作条件で動作させる。
【００４２】
なお、各部の連携動作についてはフローチャートを利用して後述する。
【００４３】
制御端末５、家電機器２、コンセントプラグ４は、図３に示すように、一例としてマイクロコンピュータ４０を備えて構成される。
【００４４】
マイクロコンピュータ４０は、内部にＣＰＵ３１（Ｃｅｎｔｒａｌ  Ｐｒｏｃｅｓｓｉｎｇ  Ｕｎｉｔ）、ＲＡＭ３２（Ｒａｎｄｏｍ  Ａｃｃｅｓｓ  Ｍｅｍｏｒｙ）、ＲＯＭ３３（Ｒｅａｄ  Ｏｎｌｙ  Ｍｅｍｏｒｙ）、インターフェイス３５を備える。また、マイクロコンピュータ４０は、位置種別情報記憶部５２、種別情報記憶部２５３、２６３、２７３位置情報記憶部４１１、４２１としてＨＤＤ３４（Ｈａｒｄ  Ｄｉｓｋ  Ｄｒｉｖｅ）を備え、位置種別情報受信部５１、状態情報受信部５５、位置種別情報送信部２５４、２６４、２７４、位置情報送信部４１２、４２２として機能するデバイスとしての通信モジュール３６を備えている。ＣＰＵ３１、ＲＡＭ３２、ＲＯＭ３３、ＨＤＤ３４、通信モジュール３６、インターフェイス３５は、内部バス３７を介して接続されている。インターフェイス３５は、外部機器として提供される各種のデバイス３８と接続されている。家電機器２の場合は、デバイス３８として機能提供部が該当する。
【００４５】
ＣＰＵ３１は、例えばＲＡＭ３２を作業領域として利用し、ＲＯＭ３３に記憶されているプログラムを実行し、当該実行結果に基づいて記憶部１０やデバイス３８とデータや命令を授受することによりデバイス３８の動作を制御する。
【００４６】
制御端末５が備える動作条件決定部５３、動作制御部５４、及び家電機器２、コンセントプラグ４が備える制御部（図示なし）は、ＲＯＭ３３に記憶されているプログラムであり、ＣＰＵ３１に実行されることであらかじめ決められた処理を実行し、接続されたデバイス３８との間で情報（命令）を送受信する。
【００４７】
ＨＤＤ３４やＲＯＭ３３、ＲＡＭ３２は、必ずしもこれに限らず、メモリとして機能するのであれば他種のメモリを代用可能である。
【００４８】
通信モジュール３６等のデバイスは、必ずしもマイクロコンピュータ４０に備える必要は無く、外部接続としてもよい。
［家電管理システムの情報取得処理フロー］
続いて、図４、図５を参照しながら家電管理システムの情報取得処理について説明する。なお図４は、家電管理システムの情報取得処理を示すフローチャート、図５は、位置情報と種別情報との関係のテーブルの一例である。
【００４９】
まず、家電機器２がコンセントプラグ４を介してコンセント７に接続されると、位置情報受信部２５１、２６１、２７１は、接続コード３を介してコンセントプラグ４より位置情報を受信する。ここで位置情報は部屋の識別を可能な例えば「０３」とする（Ｓ０１）。
【００５０】
家電機器２は、位置情報を受け取ると、さらに種別情報記憶部２５３、２６３、２７３に記憶された種別情報を読み出す。続いて家電機器２は、受信した位置情報と読み出した種別情報とを、位置種別情報送信部２５４、２６４、２７４及び屋内ネットワークを介して制御端末５に送信する（Ｓ０２）。ここで、送信される種別情報は、「空気清浄機」とする。
【００５１】
制御端末５に送信された位置情報と種別情報は、位置種別情報受信部５１にて受信され、位置種別情報記憶部５２の位置情報−種別情報テーブル６０に記憶（登録）される（Ｓ０３）。ここで、図５に、位置種別情報記憶部５２が記憶する位置情報−種別情報テーブル６０を示す。位置情報−種別情報テーブル６０には、家電機器２から送信された情報として、位置情報である「０３」と、種別情報である「空気清浄機」とが関連付けられて、レコード６１として記憶される。
【００５２】
以上により、制御端末５は、位置情報「０３」が示す部屋０３に、空気清浄機能を提供する「空気清浄機」が配置されていることを認識可能となる。
【００５３】
以上の処理を、全ての部屋において、コンセントプラグ４を介して接続された家電機器２が行うことにより、図５に示した位置情報と種別情報との関係のテープルが制御端末５に生成される。図５に示された位置情報−種別情報テーブル６０においては、部屋０２には換気扇が、部屋０４には加湿器と換気扇が、部屋０３には空気清浄機と加湿器と除湿機と換気扇とが配置されていることが示されている。また、部屋０１には家電機器２が配置されていないか、または家電機器が配置されていたとしても家電管理システム１には対応していないことが示されている。
【００５４】
なお、上記処理は、１つの家電機器２が一定時間（例えば１時間）毎に行う。また、位置情報−種別情報テーブル６０は、例えば各レコード単位で一定時間（例えば１時間）毎に削除されることで、最新の状態を維持することができる。
［家電管理システムの家電機器動作処理フロー］
続いて、図５、図６を参照しながら家電管理システムの情報取得処理について説明する。なお図６は、家電機器動作処理を示すフローチャートである。
【００５５】
位置情報及び種別情報を制御端末５に送信した後、家電機器２である例えば空気清浄機２１は、当該空気清浄機２１に備えられた埃センサを介して取得した、状態情報と、位置情報とを送信部（例えば位置種別情報送信部２５４）を介して制御端末５に送信する（Ｓ１１）。ここで送信される情報は、例えば状態情報として「埃：多」と、位置情報としてコンセントプラグ４から受信した「０３」である。
【００５６】
空気清浄機２１から状態情報と位置情報とを受信すると、制御端末５を構成する動作条件決定部５３は、位置情報−種別情報テーブル６０を参照し、受信した位置情報「０３」と同一の位置情報「０３」を有するレコードを抽出する（Ｓ１２）。ここでは、レコード６１、６２、６３、６４が抽出され、すなわち空気清浄機と加湿器と除湿機と換気扇とが抽出される。
【００５７】
動作条件決定部５３は、レコードを抽出すると、部屋０３に属する家電機器の種別、すなわち家電機器が提供する提供機能を把握することができる。続いて、動作条件決定部５３は、部屋０３に関する状態情報と、部屋０３に属する家電機器２の組み合わせとに基づいて、各家電機器２を連係動作させる（Ｓ１３）。動作条件の決定、すなわち連係動作については、組み合わせに応じて種々のものが考えられるため、一例のみを示す。
【００５８】
本実施の形態では、例えば動作条件決定部５３は、「埃：多」という状態情報に基づいて、空気清浄機を強として空気清浄能力が最大の状態で動作させる。空気清浄機の動作時には換気扇を停止させ、部屋内外の空気の流れを停止することで、外部の空気の流入を防ぐ。また、加湿器については運転を停止させることで、埃が水分を吸収して重たくなり空気清浄機が吸い込みにくくなることを防止する。除湿機については運転させることで埃の水分を減少させて空気清浄の効率化を図る。上記動作は例えば家電機器２に１０分間継続して行わせるものとする。また、「埃：少」という状態情報の際には空気清浄機の動作を停止するとともに、湿度情報に基づいた加湿、または除湿機能を動作するとともに、室内外温度差情報に基づいた必要最低換気量で換気扇を動作することによって、埃の室内への流入を抑えつつ、快適な室内空間を提供する。
【００５９】
動作条件決定部５３は、各家電機器２の動作条件、すなわち連係動作を決定すると、決定した動作条件を動作制御部５４に送信する。
【００６０】
動作制御部５４は、動作条件決定部５３が決定した動作条件を屋内ネットワーク３０を介して各家電機器２に動作命令として送信することで、各家電機器２の機能提供部を制御する（Ｓ１４）。
【００６１】
以上により、制御端末５が各部屋毎に、その部屋に属する家電機器２を連係させて動作させることが可能になる。
【００６２】
また、家電機器２は部屋に備え付けのものではなく、使用者が配置する部屋を自由に選択することができるものが多い。そして、従来のように、家電機器２を移動するたびにどの部屋に配置したかを登録するようなシステムは、家電機器２に対しては現実的ではない。これに対して、本実施の形態に係る家電管理システムでは、コンセントプラグを介して位置情報を取得するため、例えば家電機器２を他の部屋に移動させた場合であっても、新たに接続されたコンセントプラグから自動的に位置情報を取得するため、制御端末はこれを把握することができる。よって使用者が面倒な位置登録などを都度行う必要が無いため、使い勝手のよい家電管理システムを実現できる。
【００６３】
（変形例）
なお、コンセントプラグ４に記憶される位置情報は、メモリに対して電気的に記憶するものであっても良い。しかしながら、この場合にはコンセントプラグ４の位置情報を容易に変更することができない。よって、コンセントプラグ４に例えば０１から１０までを選択可能な物理スイッチを設け、使用者が部屋毎に物理スイッチの番号を変更する構成としてもよい。この場合、物理スイッチが位置情報記憶部に対応し、この物理スイッチにて選択された番号が読み取られて家電機器２に送信されるようにする。
【００６４】
また、コンセント７とコンセントプラグ４とを一体化させ、各部屋のコンセント７にコンセントプラグ４の機能を備えるようにしてもよい。このような場合には、家電機器２を移動させる場合にコンセントプラグ４も移動してしまうというミスを防止することができると共に、コストダウンを図ることができる。
【００６５】
また、位置情報記憶部４１１、４２１の記憶する位置情報は必ずしも制御端末上で割当てた部屋番号と一致する必要はなく、家電機器の位置情報記憶部４１１，４１２と制御端末上の割り当てた部屋番号が関連付けることで、各部屋における家電情報を制御することが可能であるとする。
【産業上の利用可能性】
【００６６】
本発明は、家電機器同士の連動動作を制御することで家電を追加したり別の家電にした場合でもその都度位置情報を入力部に入力することの手間を低減することができる家電管理システム、コンセントプラグ、家電、及び制御端末に有用である。
【符号の説明】
【００６７】
１    家電管理システム
２    家電機器
３    接続コード
４    コンセントプラグ
５    制御端末
６    室内空間
７    コンセント
２１    空気清浄機
２１１    吸込口
２１２    吐出口
２２    加湿器
２２１    噴出口
２３    換気扇
２５１    位置情報受信部
２５２    機能提供部
２５３    種別情報記憶部
２５４    位置種別情報送信部
２６１    位置情報受信部
２６２    機能提供部
２６３    種別情報記憶部
２６４    位置種別情報送信部
２７１    位置情報受信部
２７２    機能提供部
２７３    種別情報記憶部
２７４    位置種別情報送信部
３０    屋内ネットワーク
４１１    位置情報記憶部
４１２    位置情報送信部
４２１    位置情報記憶部
４２２    位置情報送信部
４３１    位置情報記憶部
４３２    位置情報送信部
５１    位置種別情報受信部
５２    位置種別情報記憶部
５３    動作条件決定部
５４    動作制御部
５５    状態情報受信部
【図１】
2018093272.tif 000003
【図２】
2018093272.tif 000004
【図３】
2018093272.tif 000005
【図４】
2018093272.tif 000006
【図５】
2018093272.tif 000007
【図６】
2018093272.tif 000008